(57)【要約】【課題】液体の流入による照光特性の劣化を防止できるスイッチおよびスイッチユニットを提供すること。【解決手段】スイッチが、内部に収容部（２１）を有するハウジング（２０）と、少なくとも一部がハウジング（２０）の外部に露出しかつ少なくとも一部が収容部（２１）に位置する操作部（３１）と、操作部（３１）の側面（３１１）における収容部（２１）側の端部に設けられかつ操作部（３１）から離れる方向に延びるフランジ部（３２）とを有する押しボタン（３０）と、収容部（２１）の内部に配置された導光体（４０）と、フランジ部（３２）の外面（３２１）または内面（３２２）に隣接して配置されて、導光体（４０）とフランジ部（３２）との間を通って導光体（４０）と操作部（３１）との間に液体が侵入するのを防止する液体侵入防止部（５０，６０）とを備える。【選択図】図２
2019016461.tif 000002
【特許請求の範囲】
【請求項１】
内部に収容部を有すると共に、外部と前記収容部とに連通する操作開口部が設けられた操作面を有するハウジングと、
少なくとも一部が前記ハウジングの外部に露出しかつ少なくとも一部が前記収容部に位置すると共に、前記操作開口部を介して前記操作面に対して交差する操作方向に往復移動可能に配置されている操作部と、前記操作部の前記操作面に交差する側面における前記操作方向の収容部側の端部に設けられかつ前記操作面に沿って前記操作部から離れる方向に延びるフランジ部とを有する押しボタンと、
前記収容部の内部で、前記押しボタンの前記操作方向における前記収容部側の端部に隣接して配置された導光体と、
前記フランジ部の前記操作面に対向する外面または前記導光体に対向する内面に隣接して配置されて、前記導光体と前記フランジ部との間を通って前記導光体と前記操作部との間に液体が侵入するのを防止する液体侵入防止部と
を備える、スイッチ。
【請求項２】
前記液体侵入防止部が、前記フランジ部の前記外面でかつ前記操作部の周囲に配置されて、前記押しボタンの外面に沿って流入する液体を吸収可能な枠状の吸液部を有している、請求項１のスイッチ。
【請求項３】
前記液体侵入防止部が、前記フランジ部の前記内面でかつ前記操作部の周囲に配置されて、前記導光体と前記操作部との間への液体の流入を封止する封止部を有する、請求項１または２のスイッチ。
【請求項４】
少なくとも１つの請求項１から３のいずれか１つのスイッチと、
前記操作部を挿入可能な操作孔を有する取付パネルと
を備え、
前記スイッチが、前記操作部が前記取付パネルの前記操作孔に位置しかつ前記フランジ部が前記取付パネルの前記操作孔の周囲に対向するように配置されて、前記取付パネルに取り付けられている、スイッチユニット。
【請求項５】
前記スイッチを複数有すると共に、前記複数のスイッチの各々が前記液体侵入防止部として、前記フランジ部の前記外面でかつ前記操作部の周囲に配置されて前記押しボタンの外面に沿って流れる液体を吸収可能な枠状の吸液部を有しており、
前記複数のスイッチの前記吸液部が一体に形成されている、請求項４のスイッチユニット。
【発明の詳細な説明】
【技術分野】
【０００１】
本発明は、押しボタン式のスイッチに関する。
【背景技術】
【０００２】
特許文献１には、押しボタン式のスイッチが開示されている。この押しボタン式のスイッチは、開口部が設けられた操作面を有するベースと、ベースの内部に配置されかつ開口部からハウジングの外部に突出している押しボタンを有していると共に、操作面に直交する方向に往復移動可能なプランジャと、プランジャの往復移動に伴ってオンオフされるスイッチ本体と、プランジャとスイッチ本体との間に配置された導光板とを備えている。
【先行技術文献】
【特許文献】
【０００３】
【特許文献１】国際公開番号ＷＯ２０１０／０９２６７９号公報
【発明の概要】
【発明が解決しようとする課題】
【０００４】
ところで、例えば、前記スイッチをエレベータスイッチとして用いると、エレベータの内部の清掃時などに、前記スイッチに液体が付着する場合がある。この場合、液体が前記スイッチの押しボタンの外面に沿って流れ、毛細管現象によりプランジャと導光板との間に流入し、照光特性が劣化するおそれがある。
【０００５】
そこで、本発明は、液体の流入による照光特性の劣化を防止できるスイッチおよびスイッチユニットを提供することを課題とする。
【課題を解決するための手段】
【０００６】
本発明の一態様のスイッチは、
内部に収容部を有すると共に、外部と前記収容部とに連通する操作開口部が設けられた操作面を有するハウジングと、
前記操作面に対して交差する操作方向に往復移動可能に配置されていると共に、少なくとも一部が前記ハウジングの外部に露出しかつ少なくとも一部が前記収容部に位置する操作部と、前記操作部の前記操作面に交差する側面における前記操作方向の前記収容部側の端部に設けられかつ前記操作面に沿って前記操作部から離れる方向に延びるフランジ部とを有する押しボタンと、
前記収容部の内部で、前記押しボタンの前記操作方向における前記収容部側の端部に隣接して配置された導光体と、
前記フランジ部の前記操作面に対向する外面または前記導光体に対向する内面に隣接して配置されて、前記導光体と前記フランジ部との間を通って前記導光体と前記操作部との間に液体が侵入するのを防止する液体侵入防止部と
を備える。
【０００７】
また、本発明の一態様のスイッチユニットは、
少なくとも１つの前記態様のスイッチと、
前記操作部を挿入可能な操作孔を有する取付パネルと
を備え、
前記スイッチが、前記操作部が前記取付パネルの前記操作孔に位置しかつ前記フランジ部が前記取付パネルの前記操作孔の周囲に対向するように配置されて、前記取付パネルに取り付けられている。
【発明の効果】
【０００８】
前記態様のスイッチによれば、フランジ部の操作面に対向する外面または導光体に対向する内面に隣接して配置された液体侵入防止部を備えている。この液体侵入防止部により、導光体とフランジ部との間を通って導光体と操作部との間に液体が侵入するのを防止して、液体の流入による照光特性の劣化を防止できる。
【０００９】
また、前記態様のスイッチユニットによれば、前記態様のスイッチにより、液体の使用が予想できる場所（例えば、エレベータ）であっても、照光特性が劣化しないスイッチユニットを実現できる。
【図面の簡単な説明】
【００１０】
【図１】本発明の第１実施形態のスイッチを備えたスイッチユニットの斜視図。
【図２】図１のスイッチユニットの取付パネルを取り外した状態の斜視図。
【図３】図２のIII-III線に沿った断面図。
【図４】本発明の第１実施形態のスイッチの斜視図。
【図５】図３の吸液部近傍の拡大図。
【図６】本発明の第２実施形態のスイッチの図２のIII-III線に沿った断面の封止部近傍の拡大図。
【図７】本発明の第３実施形態のスイッチの図２のIII-III線に沿った断面の吸液部および封止部近傍の拡大図。
【発明を実施するための形態】
【００１１】
以下、本発明の実施形態を添付図面に従って説明する。なお、以下の説明では、必要に応じて特定の方向あるいは位置を示す用語（例えば、「上」、「下」、「右」、「左」、「端」、「側」）を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１２】
（第１実施形態）
本発明の一実施形態のスイッチ１０は、例えば、図１に示すように、取付パネル１００と共にスイッチユニット１を構成する。第１実施形態のスイッチユニット１では、２つのスイッチ１０が、それぞれ取付パネル１００に取り付けられている。
【００１３】
詳しくは、取付パネル１００は、図２に示すように、略矩形板状を有し、その板厚方向に貫通する略矩形の貫通孔１０１を２つ有している。各スイッチ１０は、この貫通孔１０１の各々に、後述するスイッチ１０の押しボタン３０の操作部３１が位置した状態で、取付パネル１００に取り付けられている。
【００１４】
各スイッチ１０は、図２に示すように、取付パネル１００との間に、液体侵入防止部の一例の枠状の吸液部５０を備えている。第１実施形態では、２つのスイッチ１０の吸液部５０が、一体に形成されている。
【００１５】
また、各スイッチ１０は、図３および図４に示すように、内部に収容部２１を有するハウジング２０と、少なくとも一部がハウジング２０の外部に露出しかつ少なくとも一部が収容部２１に位置する押しボタン３０と、収容部２１に配置された導光体４０とを備えている。
【００１６】
ハウジング２０は、図３および図４に示すように、略矩形の箱形状で、外部と収容部２１とに連通する操作開口部２３が設けられた操作面２２を有している。
【００１７】
押しボタン３０は、透光性材料で構成され、図３および図４に示すように、略直方体状の操作部３１と、この操作部３１の収容部２１側の端部に設けられたフランジ部３２とを有している。
【００１８】
操作部３１は、図３に示すように、少なくとも一部がハウジング２０の外部に露出しかつ少なくとも一部が収容部２１に位置していると共に、操作開口部２３を介して操作面２２に対して交差する操作方向（すなわち、図３の上下方向）に往復移動可能に配置されている。また、フランジ部３２は、図３に示すように、操作部３１の操作面２２に交差する側面３１１における操作方向の収容部２１側の端部に設けられ、操作面２２に沿って操作部３１から離れる方向に延びている。第１実施形態では、フランジ部３２は、図４に示すように、操作部の側面３１１の全周に亘って設けられている。
【００１９】
導光体４０は、板状を有し、図３に示すように、収容部２１の内部で、押しボタン３０の操作方向における収容部２１側の端部に隣接して配置されている。収容部２１の内部における導光体４０の板厚方向に対する外周側（すなわち、収容部２１の底面２１１に交差する側面側）には、例えばＬＥＤで構成された光源部４１が設けられている。この光源部４１は、収容部２１の内部でかつ収容部２１の底面２１１の略中央に配置されたマイクロスイッチ２４に接続されている。このマイクロスイッチ２４は、押しボタン３０の操作方向の往復移動に連動または独立してオンオフされるように構成されている。マイクロスイッチ２４がオンされると、光源部４１から光が導光体４０に供給され、マイクロスイッチ２４がオフされると、光源部４１から導光体４０への光の供給が停止するようになっている。
【００２０】
また、収容部１３には、押しボタン３０を操作面２２に対して略平行な姿勢を維持したまま、操作方向に往復移動させるリンク機構部（図示せず）が設けられている。
【００２１】
吸液部５０は、水などの液体を吸収可能な材料（例えば、樹脂製のスポンジまたは吸水紙）で構成された枠形シート状を有し、図３に示すように、押しボタン３０のフランジ部３２の操作面２２に対向する外面３２１に隣接してかつ操作部３１の周囲に配置されている。すなわち、吸液部５０は、取付パネル１００の貫通孔１０１と押しボタン３０の外面（例えば、操作部３１の側面３１１）との間の隙間１０２から流入した液体（特に、操作部３１の側面３１１に沿って収容部１３に向かって流入する液体）を吸収可能に配置されている。第１実施形態では、図２に示すように、吸液部５０は、操作部３１の側面３１１方向の全周を液密に封止するように設けられ、取付パネル１００にスイッチ１を取り付けたときに、取付パネル１００および押しボタン３０のフランジ部３２に圧着するように構成されている。
【００２２】
このように、第１実施形態のスイッチ１０では、フランジ部３２の操作面２２に対向する外面３２１に隣接して配置された吸液部５０を備えている。この吸液部５０により、導光体４０とフランジ部３２との間を通って導光体４０と操作部３１との間に液体が侵入するのを防止して、液体の流入による照光特性の劣化を防止できる。
【００２３】
また、例えば、押しボタン３０の操作部３１の側面３１１方向の周囲にオーリングなどのシール部材を配置して操作部３１の側面３１１方向の周囲を厳密に封止して、導光体４０とフランジ部３２との間を通って導光体４０と操作部３１との間に液体が侵入するのを防止する場合、操作部３１とシール部材との嵌め合い面に締め代を与える必要がある。この場合、押しボタン３０の形状毎に専用のシール部材が必要となり、構造が複雑になる場合がある。
【００２４】
前記スイッチ１０では、液体侵入防止部として、フランジ部３２の外面３２１でかつ操作部３１の周囲に配置されて、押しボタン３０の外面に沿って流れる液体を吸収可能な枠形シート状の吸液部５０を備えている。この吸液部５０により、簡単な構成で、導光体４０とフランジ部３２との間を液密に封止することができて、導光体４０とフランジ部３２との間を通って導光体４０と操作部３１との間に液体が侵入するのを防止して、液体の流入による照光特性の劣化を防止できる。
【００２５】
また、第１実施形態のスイッチユニット１では、前記スイッチ１０により、液体の使用が予想できる場所（例えば、エレベータ）であっても、照光特性が劣化しないスイッチユニット１を実現できる。
【００２６】
また、前記スイッチユニット１では、スイッチ１０を複数（第１実施形態では２つ）有すると共に、複数のスイッチ１０の各々が液体侵入防止部として吸液部５０を有しており、複数のスイッチ１０の複数の吸液部５０が一体に形成されている。これにより、部品点数を減らして、スイッチユニット１の組み立てを容易にすることができる。
【００２７】
なお、吸液部５０は、操作部３１の側面３１１全周に亘って設ける場合に限らず、可能ならば、操作部３１の側面３１１の一部に設けてもよい。
【００２８】
また、吸液部５０を、例えば、樹脂製のスポンジで構成することで、定期的に清掃し乾燥させることで、繰り返し使用することができる。
【００２９】
また、スイッチユニット１において、複数のスイッチ１０の吸液部５０を一体に形成する場合に限らず、各スイッチ１０の吸液部５０を別体に形成しても構わない。
【００３０】
（第２実施形態）
本発明の第２実施形態のスイッチ１０は、図６に示すように、液体侵入防止部として、導光体４０と操作部３１との間への液体の流入を封止する封止部６０を備えた点で、第１実施形態と異なっている。
【００３１】
なお、第２実施形態では、第１実施形態と同一部分に同一参照番号を付して説明を省略する。
【００３２】
封止部６０は、例えば、オーリングで構成され、図６に示すように、フランジ部３２の内面３２２（すなわち、収容部２１の底面２１１側の面）に対向する導光体４０の表面４０１に設けられた凹部４２に配置されて、フランジ部３２の内面３２２に圧着している。
【００３３】
また、凹部４２は、操作方向（図６の上下方向）から見て、押しボタン３０の操作部３１の全周を取り囲むように設けられている。すなわち、封止部６０は、フランジ部３２の内面３２２でかつ操作方向から見て操作部３１の全周囲に亘って配置されて、導光体４０と操作部３１との間への液体の流入を封止している。
【００３４】
このように、第２実施形態のスイッチ１０は、フランジ部３２の内面でかつ操作部３１の全周に亘って配置されて、導光体４０と操作部３１との間への液体の流入を封止する封止部６０を備えている。この封止部６０により、簡単な構成で、導光体４０とフランジ部３２との間を液密に封止することができて、導光体４０とフランジ部３２との間を通って導光体４０と操作部３１との間に液体が侵入するのを防止して、液体の流入による照光特性の劣化を防止できる。
【００３５】
なお、封止部６０は、操作方向から見て操作部３１の全周囲に亘って設ける場合に限らず、可能ならば、操作部３１の操作方向周りの一部に設けてもよい。
【００３６】
（第３実施形態）
本発明の第３実施形態のスイッチ１０は、図７に示すように、液体侵入防止部として、吸液部５０と封止部６０とを備えた点で、第１実施形態および第２実施形態と異なっている。
【００３７】
なお、第３実施形態では、第１実施形態および第２実施形態と同一部分に同一参照番号を付して説明を省略する。
【００３８】
このように、吸液部５０および封止部６０を設けることで、例えば、吸液部５０および封止部６０のいずれか一方が劣化してその機能を果たすことができなくなった場合であっても、導光体４０とフランジ部３２との間を通って導光体４０と操作部３１との間に液体が侵入するのを防止して、液体の流入による照光特性の劣化を防止できる。
【００３９】
以上、図面を参照して本発明における種々の実施形態を詳細に説明したが、最後に、本発明の種々の態様について説明する。
【００４０】
本発明の第１態様のスイッチは、
内部に収容部を有すると共に、外部と前記収容部とに連通する操作開口部が設けられた操作面を有するハウジングと、
少なくとも一部が前記ハウジングの外部に露出しかつ少なくとも一部が前記収容部に位置すると共に、前記操作開口部を介して前記操作面に対して交差する操作方向に往復移動可能に配置されている操作部と、前記操作部の前記操作面に交差する側面における前記操作方向の前記収容部側の端部に設けられかつ前記操作面に沿って前記操作部から離れる方向に延びるフランジ部とを有する押しボタンと、
前記収容部の内部で、前記押しボタンの前記操作方向における前記収容部側の端部に隣接して配置された導光体と、
前記フランジ部の前記操作面に対向する外面または前記導光体に対向する内面に隣接して配置されて、前記導光体と前記フランジ部との間を通って前記導光体と前記操作部との間に液体が侵入するのを防止する液体侵入防止部と
を備える。
【００４１】
第１態様のスイッチによれば、液体侵入防止部により、導光体とフランジ部との間を通って導光体と操作部との間に液体が侵入するのを防止して、液体の流入による照光特性の劣化を防止できる。
【００４２】
本発明の第２態様のスイッチは、
前記液体侵入防止部が、前記フランジ部の前記外面でかつ前記操作部の周囲に配置されて、前記押しボタンの外面に沿って流入する液体を吸収可能な枠状の吸液部を有している。
【００４３】
第２態様のスイッチによれば、吸液部により、簡単な構成で、導光体とフランジ部との間を通って導光体と操作部との間に液体が侵入するのを防止して、液体の流入による照光特性の劣化を防止できる。
【００４４】
本発明の第３態様のスイッチは、
前記液体侵入防止部が、前記フランジ部の前記内面でかつ前記操作部の周囲に配置されて、前記導光体と前記操作部との間への液体の流入を封止する封止部を有する。
【００４５】
第３態様のスイッチによれば、封止部により、簡単な構成で、導光体とフランジ部との間を通って導光体と操作部との間に液体が侵入するのを防止して、液体の流入による照光特性の劣化を防止できる。
【００４６】
本発明の第４態様のスイッチユニットは、
少なくとも１つの前記態様のスイッチと、
前記操作部を挿入可能な操作孔を有する取付パネルと
を備え、
前記スイッチが、前記操作部が前記取付パネルの前記操作孔に位置しかつ前記フランジ部が前記取付パネルの前記操作孔の周囲に対向するように配置されて、前記取付パネルに取り付けられている。
【００４７】
第４態様のスイッチユニットによれば、前記態様のスイッチにより、液体の使用が予想できる場所（例えば、エレベータ）であっても、照光特性が劣化しないスイッチユニットを実現できる。
【００４８】
本発明の第５態様のスイッチユニットは、
前記スイッチを複数有すると共に、前記複数のスイッチの各々が前記液体侵入防止部として、前記フランジ部の前記外面でかつ前記操作部の周囲に配置されて前記押しボタンの外面に沿って流入する液体を吸収可能な枠状の吸液部を有しており、
前記複数のスイッチの前記吸液部が一体に形成されている。
【００４９】
第５態様のスイッチユニットによれば、部品点数を減らして、スイッチユニット１の組み立てを容易にすることができる。
【００５０】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００５１】
本発明のスイッチは、例えば、エレベータスイッチに適用できる。
【符号の説明】
【００５２】
１  スイッチユニット
１０  スイッチ
２０  ハウジング
２１  収容部
２１１  底面
２２  操作面
２３  操作開口部
２４  マイクロスイッチ
３０  押しボタン
３１  操作部
３１１  側面
３２  フランジ部
３２１  外面
４０  導光体
４０１  表面
４１  光源部
４２  凹部
５０  吸液部
６０  封止部
１００  取付パネル
１０１  貫通孔
１０２  隙間
【図１】
2019016461.tif 000003
【図２】
2019016461.tif 000004
【図３】
2019016461.tif 000005
【図４】
2019016461.tif 000006
【図５】
2019016461.tif 000007
【図６】
2019016461.tif 000008
【図７】
2019016461.tif 000009